【事件の表示】
　特許第２８０４３５１号「発熱性エアゾール組成物」の特許に対する特許異議の申立てについて、次のとおり決定する。
【結論】
　訂正を認める。
　特許第２８０４３５１号の特許を維持する。
【理由】
１．本件特許第２８０４３５１号は、平成２年７月２７日の出願に係り、平成１０年７月１７日に設定登録された後、異議申立てがあり、取消理由通知に対して、平成１１年１０月１日に訂正請求がなされたものである。
２．訂正の適否
　本件訂正請求に係る訂正事項は以下のとおりである。
（ａ）特許明細書の請求項１における「オイルと、ゼオライトの粉末と、界面活性剤と、気泡剤と、噴射剤とを含有してなることを特徴とする発熱性エアゾール組成物。」なる記載を「２５℃における粘度が１００ｃｐ以下の水溶性オイル６０重量％以上とゼオライト粉末１０〜３０重量％と界面活性剤と、気泡剤と、液化ガスよりなる噴射剤５〜１０重量％とを含有してなることを特徴とする発熱性エアゾール噴射剤」に訂正する。
（ｂ）特許明細書（特許公報第２欄１５行〜第３欄第２行）の「本発明の発熱性エアゾール組成物は、オイルと、…噴射剤とを含有してなることを特徴とする。」なる記載を、「本発明の発熱性エアゾール組成物は、２５℃における粘度が１００ｃｐ以下の水溶性オイル６０重量％以上と、ゼオライトの粉末１０〜３０重量％と、界面活性剤と、起泡剤と、液化ガスよりなる噴射剤５〜１０重量％とを含有してなることを特徴とする。」と訂正する。
（ｃ）同明細書（特許公報第３欄第４行）の「適当なオイル」を「特定のオイル」と訂正する。
（ｄ）同明細書（特許公報第３欄６行）の「適宜の噴射剤」を「特定の噴射剤」と訂正する。
（ｅ）同明細書（特許公報第３欄１５〜２０行）の「本発明において、…挙げることができる。」を「本発明において、例えば人体用エアゾール組成物のためのオイルとしては、適用後に水で洗い落とすことができるという観点から水に対する溶解性または親和性が高いいわゆる水溶性オイルが用いられ、また使用感においてベタツキ感を抑えるという観点から粘性の低いもの、具体的には温度２５℃における粘度が１００ｃｐ以下のオイルを用いる。これらの事情を考慮した場合に、人体用エアゾール組成物のためのオイルの具体例としては、例えばヤシ油脂肪酸ポリオキシエチレン（７）グリセリン、ジエチレングリコールモノエチルエーテル、プロピレングリコール、その他を挙げることができる。」と訂正する。
（ｆ）同明細書（特許公報第３欄第３４〜７行）の「エアゾール組成物全体に対するオイルの割合は…ことが好ましい。」を「エアゾール組成物全体に対するオイルの割合は、６０〜７０重量％以上とされる。」に訂正す。
（ｇ）同明細書（特許公報第４欄４９〜第５欄２行）の「本発明において、噴射剤は…用いることができる。」を「本発明において、噴射剤としては、液化石油ガス（ＬＰＧ）、ジメチルエーテル（ＤＭＥ）などの液化ガスが用いられる。」に訂正する。
（ｈ）同明細書（特許公報第５欄３〜４行）の「この噴射剤の含有割合は５〜２０重量％であることが好ましい。」を「この噴射剤の含有割合は５〜１０重量％とされる。」に訂正する。
（ｉ）同明細書（特許公報第７欄２〜５行）の「以上のように、本発明の発熱性エアゾール組成物は、オイルと、ゼオライトの粉末と、界面活性剤と、起泡剤と、噴射剤とを含有してなるものであるため、」を「以上のように、本発明の発熱性エアゾール組成物は、２５℃における粘度が１００ＣＰ以下の水溶性オイル６０重量％以上と、ゼオライトの粉末１０〜３０重量％と、界面活性剤と、起泡剤と、液化ガスよりなる噴射剤５〜１０重量％とを含有してなるものであるため、」と訂正する。
　そこで、これらの訂正について以下検討する。
（ａ）の訂正は、請求項１において、使用するオイルの粘度、溶解性及びその含有割合、ゼオライト粉末の含有割合、並びに噴射剤の種類及び含有割合についてそれぞれ限定するものであるから、特許請求の範囲の減縮を目的とするものである。
　また、使用するオイルの粘度、溶解性及びその含有割合については、特許明細書（特許公報第３欄２２〜３７行）において、「例えば人体用のエアゾール組成物のためのオイルとしては、適用後に水で洗い落とすことができるという観点から水に対する溶解性または親和性の高いもの、例えばいわゆる水溶性オイルが好ましく、また、使用感においてべたつき感を押さえるという観点からは粘性の低いもの、具体的には温度２５℃における粘度が１００ｃｐ以下のオイルを用いることが好ましい。・・・・・・エアゾール組成物に対するオイルの割合は適宜選定すればよいが、通常、５０重量％以上とされる。そして、特に粘度の低いオイルを用いる場合には、６０〜７０重量％以上であることが好ましい。」と記載されており、この使用するオイルについての訂正は、特許明細書に記載した事項の範囲内の訂正であることは明らかである。
　ゼオライト粉末の含有割合及び噴射剤の種類に関する訂正についても、特許明細書（特許公報第３欄４５〜４６行、及び第４欄４９〜第５欄２行）において、「ゼオライトの粉末の含有割合は、通常、エアゾール組成物全体の１０〜３０重量の範囲内とされるが、」及び「本発明において、噴射剤は特に限定されるものではないが、具体的には液化石油ガス（ＬＰＧ）、ジメチルエーテル（ＤＭＥ）などの液化ガスを好適に用いることができる。」とそれぞれ記載されており、これらについての訂正も特許明細書に記載された事項の範囲内の訂正である。
　また、噴射剤の含有割合については、特許明細書（特許公報第５欄３〜４行）において「この噴射剤の含有割合は５〜２０重量％であることが好ましい。」と記載され、同実施例においては、噴射剤の含有割合が５重量％のものと、１０重量％のものが記載されているのであるから、訂正後の噴射剤の含有割合についての数値範囲の上限値及び下限値は、特許明細書に記載されていたものであり、この訂正も特許明細書に記載した事項の範囲内の訂正である。したがって、請求項１に係る訂正はいずれも、願書に添付した明細書に記載した事項の範囲内の訂正である。
　また、これら請求項１についての訂正は、特許請求の範囲を実質的に拡張、変更するものでもない。
　上記（ｂ）〜（ｉ）の訂正は、上記（ａ）の請求項１についての訂正に伴い生じる、訂正後の特許請求の範囲の記載と同発明の詳細な説明中の記載との不整合を正すものであるから、これら訂正は、明瞭でない記載の釈明を目的とするものである。また、これら訂正は願書に添付した明細書に記載した事項の範囲内の訂正であって、しかも、特許請求の範囲を実質的に拡張、変更するものでもない。
さらに、後記することから明らかなように、訂正後の特許請求の範囲に記載された発明は、特許出願の際独立して特許を受けることができない発明であるとすることもできないものである。
　したがって、本件訂正請求は、特許法第１２０条の４第２項及び同条第３項で準用する同法第１２６条２−４項の規定に適合するので当該訂正を認める。
３．異議申立てについて、
　本件異議申立人の主張の概要は以下のとおりである。
（１）本件請求項１の発明は甲第１号証（特開昭６１−２７８５号公報）及び甲第２号証（米国特許第３２５０６８０号明細書）に記載された発明から当業者が容易に発明できたものであるから、本件請求項１に係る特許は、特許法第２９条第２項の規定に違反してなされたものである。
（２）本件明細書の記載では発明の構成が不明確であり、本件請求項１に係る特許は特許法第３６条の要件を満たしていない出願に対しなされたものである。そして、この主張に関して甲第３号証（「改訂３版　油脂化学便覧」丸善石油株式会社、平成２年２月２８日、第４４７−４４８頁、４６９頁）が提示されている。
　一方、本件訂正後の請求項１の発明は、訂正後の明細書の記載からみて、訂正明細書の請求項１に記載された事項により特定された以下のとおりのもである。
「２５℃における粘度が１００ｃｐ以下の水溶よ性オイル６０重量％以上とゼオライト粉末１０〜３０重量％と界面活性剤と、気泡剤と、液化ガスよりなる噴射剤５〜１０重量％とを含有してなることを特徴とする発熱性エアゾール噴射剤」
　そこで、訂正後の請求項１の発明（以下、本件発明という。）及び明細書の記載について、本件異議申立人の上記主張が採用できるか否かについて、以下検討する。
（１）第１号証においては、アルキレングリコール植物油等のビヒクル約２２．４から約４７．６％、ナトリウムゼオライト等の分子ふるい物質約１６〜約３４％、各種表面活性剤１．６〜約３．４％、および液化ガス噴射剤約１５〜約６０％配合したエアロゾルフォーム組成物について記載されている。
　また甲第２号証においては、トリエチレングリコール、モレキュラーシーブ５Ａ、セチルアルコール、ステアリン酸等を配合したハンドローション等化粧品組成物について記載され、該組成物はさらに界面活性剤を使用してもいい旨、また、該組成物は湿気にふれると知覚し得る量の熱を放出する旨の記載されている。
　本件発明と甲第１号証の発明とを対比すると、両者のエロゾル組成物の構成は、配合する成分自体においては一致するものではあるが、本件発明は、エアロゾール組成物に対して噴射剤５〜１０重量％含有するのに対して、甲第１号証の組成物においては、約１５〜約６０％であるから、両者はこの点で異なる。しかも、本件発明は、エアゾール組成物の使用時に適度に発熱し、皮膚に暖かさを感じさせることを目的とするものであって、本件発明の噴射剤の含有割合は、訂正明細書に記載されているように、噴射剤の割合が過小である場合には内容物の全部を好適に吐出させることができず、過大であるときは十分な発熱効果が得ることができないことに鑑み設定されたものであり、平成１１年１１月８日付上申書に記載された試験結果からみて、噴射剤の含有割合を本件発明のように設定したことによる効果は、それ以外の割合に設定した場合と比べて顕著である。これに対して、甲第１号証の目的は、エロゾル容器から組成物が放出された時にピシッ（ピュー）、ポッ（はじける音）といった音などの強められたを聴覚的効果を発揮することにあるのであって、本件発明と甲第１号証の発明の目的、効果は全く異なるのであり、本件発明の目的効果については甲第１号証において全く認識がなされていなかったことは明らかである。そして、本件発明における上記目的及び効果についての認識もなしに、甲第１号証の噴射剤の含有割合を本件発明のように変更することは当業者においても容易にはできないとするほかない。
　また、甲第２号証においては、本件発明と同様に発熱効果を目的とするものではあるが、エアロゾルについて記載がなく、当然噴射剤の使用について全く記載がないものであるから、エアロゾル組成物における噴射剤の含有割合について何ら示唆するものでもない。してみれば、本件発明は甲第１及び２号証に記載された発明から当業者が容易に発明できたものとすることはできない。
（２）の主張について
　本件異議申立人は、本件訂正後の請求項１及び訂正明細書（特許公報第３欄１〜２行）における発明の詳細な説明においては、「界面活性剤と、気泡剤と・・・とを含有してなる」と記載されているが、甲第３号証に記載されているように界面活性剤の性能の一つとして気泡力があり、気泡力の大きいものは気泡剤とも呼ばれるものであるから、使用する気泡剤が界面活性剤の１種である場合には、気泡剤が用いられているとはいえない旨主張するが、本件発明において界面活性剤はゼオライトをオイルに良好に分散させるために使用され、他方、気泡剤はエアロゾル組成物の使用において泡沫体を形成するために使用されるのであるから、仮に使用する気泡剤が界面活性剤の１種であったとしても、この使用により泡沫体を形成するのであれば、このために使用した界面活性剤は気泡剤といえる。
　してみると、本件訂正明細書に請求項１その他の記載は特に不明確とはいえない。
　したがって、本件異議申立人の主張（１）及び（２）はいずれも採用できない。
４．以上のとおりであるから、結局、本件訂正請求は認めることができ、また、本件異議申立の主張および証拠によっては、本件特許を取り消すことができない。
　さらに、他に本件特許を取り消すべき理由を発見しない。
　よって結論のとおり決定する。
【異議決定日】
平成１１年１２月８日（１９９９．１２．８）
【訂正の要旨】
訂正事項ａ
　平成１０年４月２３日付けの手続補正書（以下、単に「手続補正書」という。）により補正された特許請求の範囲の請求項１の記載
「（１）オイルと、ゼオライトの粉末と、界面活性剤と、気泡剤と、噴射剤とを含有してなることを特徴とする発熱性エアゾール組成物。」
を、
「（１）２５℃における粘度が１００ｃｐ以下の水溶性オイル６０重量％以上と、ゼオライトの粉末１０〜３０重量％と、界面活性剤と、気泡剤と、液化ガスよりなる噴射剤５〜１０重量％とを含有してなることを特徴とする発熱性エアゾール組成物。」
と訂正する。
訂正事項ｂ
　上記の訂正事項ａによる請求項１の訂正に伴い、特許請求の範囲の記載と発明の詳細な説明の欄の記載との整合を図るため、
▲１▼　明細書第２頁第１４行〜第３頁第５行を対象として手続補正書の補正番号（１）により補正された記載の第４行〜第５行の
「本発明の発熱性エアゾール組成物は、オイルと、…噴射剤とを含有してなることを特徴とする。」
を、
「本発明の発熱性エアゾール組成物は、２５℃における粘度が１００ｃｐ以下の水溶性オイル６０重量％以上と、ゼオライトの粉末１０〜３０重量％と、界面活性剤と、気泡剤と、液化ガスよりなる噴射剤５〜１０重量％とを含有してなることを特徴とする。」
と訂正する。
▲２▼　同手続補正書の補正番号（１）により補正された記載の第７行中「適当なオイル」を「特定のオイル」と訂正する。
▲３▼　明細書第３頁第６行中「適宜の噴射剤」を「特定の噴射剤」と訂正する。
▲４▼　明細書第３頁第１６行〜第４頁第１６行の「本発明において、…挙げることができる。」を下記のように訂正する。
「本発明において、たとえば人体用エアゾール組成物のためのオイルとしては、適用後に水で洗い落とすことができるという観点から水に対する溶解性または親和性が高いいわゆる水溶性オイルが用いられ、また使用感においてベタツキ感を抑えるという観点から粘性の低いもの、具体的には温度２５℃における粘度が１００ｃｐ以下のオイルを用いる。これらの事情を考慮した場合に、人体用エアゾール組成物のためのオイルの具体例としては、たとえばヤシ油脂肪酸ポリオキシエチレン（７）グリセリン、ジエチレングリコールモノエチルエーテル、プロピレングリコール、その他を挙げることができる。」
▲５▼　明細書第４頁第１７行〜第２０行の「エアゾール組成物全体に対するオイルの割合は…ことが好ましい。」を下記のように訂正する。
「エアゾール組成物全体に対するオイルの割合は、６０〜７０重量％以上とされる。」
▲６▼　明細書第８頁第１１行〜第１４行の「本発明において噴射剤は…用いることができる。」を下記のように訂正する。
「本発明において、噴射剤としては、液化石油ガス（ＬＧＰ）、ジメチルエーテル（ＤＭＥ）などの液化ガスが用いられる。」
▲７▼　明細書第８頁第１５行〜第１６行の「この噴射剤の含有割合は５〜２０重量％であることが好ましい。」を下記のように訂正する。
「この噴射剤の含有割合は５〜１０重量％とされる。」
▲８▼　明細書第１４頁第２行〜第４行の「以上のように、本発明の発熱性エアゾール組成物は、オイルと、ゼオライトの粉末と、界面活性剤と、気泡剤と、噴射剤とを含有してなるものであるため、」を、
「以上のように本発明の発熱性エアゾール組成物は、２５℃における粘度が１００ｃｐ以下の水溶性オイル６０重量％以上と、ゼオライトの粉末１０〜３０重量％と、界面活性剤と、気泡剤と、液化ガスよりなる噴射剤５〜１０重量％とを含有してなるものであるため、」と訂正する。
（５４）【発明の名称】
発熱性エアゾール組成物
（５７）【特許請求の範囲】
（１）２５℃における粘度が１００ｃｐ以下の水溶性オイル６０重量％以上と、ゼオライトの粉末１０〜３０重量％と、界面活性剤と、起泡剤と、液化ガスよりなる噴射剤５〜１０重量％とを含有してなることを特徴とする発熱性エアゾール組成物。
【発明の詳細な説明】
〔産業上の利用分野〕
　本発明は、発熱性エアゾール組成物に関する。
〔発明の背景〕
　一般に、クレンジングフォームやシェービングクリームなどの化粧料としては、良好な使用感が得られることから、使用時に適度に発熱し、皮層に温かさを感じさせる温覚作用が得られるものが好ましい。
　従来、発熱作用を有する化粧料としては、過酸化水素水などを利用したものが提案されているに過ぎず、エアゾール製品として見るべきものは得られていない。すなわち、エアゾール製品として実現されるためには、内容物とされる組成物が単に発熱作用を有しあるいは温覚作用が得られるものであるのみでなく、当該組成物をエアゾール容器から確実に噴射することができることなど、エアゾール製品として要求される条件を満足する必要があり、また使用目的に対応する有効成分による作用を阻害するようなものであってはならないからである。
〔発明が解決しようとする課題〕
　本発明は以上のような事情に基づいてなされたものであって、吐出されたときに適度な発熱作用あるいは温覚作用が得られると共に発泡して温かい泡沫（フォーム）が形成される発熱性エアゾール組成物を提供することを目的とする。
〔課題を解決するための手段〕
　本発明の発熱性エアゾール組成物は、２５℃における粘度が１００ｃｐ以下の水溶性オイル６０重量％以上と、ゼオライトの粉末１０〜３０重量％と、界面活性剤と、起泡剤と、液化ガスよりなる噴射剤５〜１０重量％とを含有してなることを特徴とする。
　以下本発明について具体的に説明する。
　本発明においては、特定のオイルに、ゼオライトの粉末を、界面活性剤および起泡剤と共に配合して原液を調製し、これを特定の噴射剤と組み合せてエアゾール組成物を得る。
　ここに、原液には、上記の必須成分の他に、更に具体的な用途に従って種々の有効成分、薬剤、添加剤、エモリエント剤、着色剤、香料、その他を添加することができる。
　本発明のエアゾール組成物において、オイルは、原液の主体を構成する成分であり、他の成分に対する溶剤あるいは分散媒としての機能を有するものである。
　本発明において、例えば人体用エアゾール組成物のためのオイルとしては、適用後に水で洗い落とすことができるという観点から水に対する溶解性または親和性が高いいわゆる水溶性オイルが用いられ、また使用感においてベタツキ感を抑えるという観点から粘性の低いもの、具体的には温度２５℃における粘度が１００ｃｐ以下のオイルを用いる。これらの事情を考慮した場合に、人体用エアゾール組成物のためのオイルの具体例としては、例えばヤシ油脂肪酸ポリオキシエチレン（７）グリセリン、ジエチレングリコールモノエチルエーテル、プロピレングリコール、その他を挙げることができる。
　エアゾール組成物全体に対するオイルの割合は、６０〜７０重量％以上とされる。
　本発明においては、以上のオイルに、ゼオライトの粉末が分散される。このゼオライトは水と接触されると発熱するものである。このゼオライトは化学的に殆ど不活性である。ゼオライトの粉末は、通常、オイルに対して比較的高い親和性を有するものであるが、本発明においては、オイル中に良好に分散させるために、後述する界面活性剤が使用される。
　ゼオライトの粉末の含有割合は、通常、エアゾール組成物全体の１０〜３０重量％の範囲内とされるが、良好な発熱作用または温覚作用を得るためには２０重量％以上であることが好ましい。ゼオライトの粉末の含有割合が過小の場合には、吐出物の発熱作用が不十分で良好な温覚作用を得ることができず、一方、ゼオライトの粉末の含有割合が過大の場合には、原液における分散状態が不安定となって均一な発熱作用または温覚作用を得ることができないおそれがある。
　このゼオライトの粉末と共に使用される界面活性剤は特に限定されるものではなく、例えばポリグリセリン脂肪酸エステル系非イオン界面活性剤、アルキルリン酸塩系、ボリオキシエチレンアルキルエーテルリン酸塩系のアニオン界面活性剤、その他を挙げることができる。
　人体用エアゾール組成物の場合には、例えばジポリオキシエチレン（４）ノニルフェニルエーテルリン酸、ポリオキシエチレン（９）ノニルフェニルエーテルなどが好ましく使用される。
　界面活性剤の使用割合は、ゼオライトの粉末の使用割合によっても異なるが、エアゾール組成物全体に対して１〜３重量％程度の割合で用いることが好ましい。
　更に、原液には起泡剤が配合される。これにより、温かい泡沫体が形成されるエアゾール製品を得ることができる。起泡剤としては従来知られているものを用いることができる。具体的には、グリコール系の非水泡沫処方用起泡剤を好ましいものとして挙げることができ、ポーラワックス、ポリオキシエチレンアルキルエーテル、脂肪酸、高級アルコール、ポリオキシエチレン硬化ヒマシ油などを使用することができる。
　また、人体用エアゾール組成物に好ましい起泡剤としては、ポリオキシエチレン（７）セチルエーテル、ポリオキシエチレン（４０）硬化ヒマシ油、セチルアルコール、ステアリルアルコールなどを使用することができる。
　以上の起泡剤の含有割合は、エアゾール組成物全体に対して１〜１０重量％であることが好ましい。なお、起泡剤と共に起泡助剤を併用することができることは、勿論である。
　以上のオイル、ゼオライトの粉末、界面活性剤および起泡剤を配合してなる原液には、更に種々の添加剤などを添加することができる。そして、ゼオライトは化学的に殆ど不活性であるので、ここに原液の成分として使用される物質あるいは化合物が制限されることは殆どなく、従って種々の用途に好適なエアゾール組成物を提供することができる。
　この発熱性泡沫エアゾール組成物の原液には、必要に応じて、洗浄剤、シリコーンオイルなどの他の添加成分を含有させることができる。この洗浄剤としては、広く界面活性剤が使用されるので、既述の界面活性剤がこの洗浄剤としての作用を有する場合がある。
　以上の各成分により原液が調製され、この原液が噴射剤と組み合せられることにより、本発明のエアゾール組成物が得られる。そして、このエアゾール組成物がエアゾール容器内に充填されて製品とされる。
　本発明において、噴射剤としては、液化石油ガス（ＬＰＧ）、ジメチルエーテル（ＤＭＥ）などの液化ガスが用いられる。
　この噴射剤の含有割合は５〜１０重量％とされる。噴射剤の割合が過小の場合には内容物の全部を好適に吐出させることができず、一方、噴射剤の割合が過大である場合には十分な発熱効果、従って十分な温覚効果を得ることができないおそれがある。
　そして、原液には起泡剤が含有されているので、通常、噴射剤の使用割合を比較的小さくすることによって、良好な泡沫を形成するエアゾール組成物を得ることが可能である。また、吐出物において形成される泡沫を比較的安定なものとするためには、噴射剤として液化石油ガスを用いることが好ましい。一方、噴射剤がジメチルエーテルよりなる場合には、形成される泡沫の破泡性が大きくなる傾向がある。従って、液化石油ガスに適宜の割合でジメチルエーテルを混合して用いることにより、破泡性あるいは泡沫の安定性を制御して良好な発泡性または起泡性と、好適な破泡性との両方を得ることができ、当該原液の性状に応じた好適な状態の泡沫を形成することができる。
〔作用〕
　本発明の発熱性エアゾール組成物は、通常のエアゾール容器に充填されて発熱性エアゾール製品とされる。このエアゾール製品の内容物は、原液と噴射剤とよりなるものであるが、原液中のゼオライトの粉末は界面活性剤の存在によって安定にオイル中に均一に分散した状態とされ、従って噴射によって常に均一な割合でゼオライトの粉末が吐出されることとなる。従って、内容物を例えば人体の皮膚面上に吐出させると、ゼオライトの粉末が当該皮膚面上に存在することとなり、このゼオライトの粉末は空気中の水分によって発熱するため、適用された皮膚に温覚作用が得られると共に、起泡剤の作用によって発泡するため、温かい泡沫が形成される。従って、内容物の吐出後に手指等で展延させれば、その展延させた領域の全体にわたって温覚作用が得られる。
　また、エアゾール容器として、隔壁によって互いに区画された２つの容器空間と、これらの容器空間を共通の吐出口に連通させる混合バルブを有する、いわゆる二重容器型のものを用い、一方の容器空間内には上記の本発明に係るエアゾール組成物を充填し、他方の容器空間には水を充填し、当該エアゾール組成物と水との両者が適宜の割合で同時に噴射されるエアゾール製品とすることができる。このエアゾール製品によれば、本発明エアゾール組成物のゼオライトの粉末は水と接触した状態で吐出されるため、既に発熱して温かい状態となった原液が吐出されることとなる。このような二重容器型のエアゾール容器としては種々のものが公知であり、例えば特公昭４９−１００１０号公報や特公昭５１−３１９６５号公報に記載されたもの、その他を使用することができる。
　本発明の発熱性エアゾール組成物は、原液に含有される成分の種類によって、種々の用途のものとして実施することができる。従って、人体用のエアゾール組成物のみでなく、それ以外のエアゾール組成物、例えばペット用クレンジングフォーム等の動物用のエアゾール製品とすることも可能であり、この場合には、温覚作用が得られるために動物の受ける不快感が減じ、従って動物に対する適用が容易となる。また、他の温熱作用または温熱効果が求められる分野においても、その要請に十分に応え得る発熱性エアゾール組成物が提供される。
〔実施例〕
　以下、本発明の実施例について説明するが、本発明がこれらによって限定されるものではない。なお、「％」は重量％を表す。
実施例１
　第１表に示す配合処方により、洗顔クレンジングフォーム用の本発明に係る発熱性エアゾール組成物を調製した。
　このエアゾール製品を人体の皮膚面に適用すると、快適な温覚作用を有する良好な泡沫体が形成された。この吐出された組成物は容易に水で洗い落とすことができるものであり、しかも殆どベタツキ感のない、きわめて良好な使用感を有するものであった。
実施例２〜実施例５
　実施例１と同様にして、第１表に示す配合処方により、本発明に係る発熱性エアゾール組成物を調製した。
　これらのエアゾール製品を人体の皮膚面に適用すると、快適な温覚作用を有する良好な泡沫体が形成された。
〔発明の効果〕
　以上のように、本発明の発熱性エアゾール組成物は、２５℃における粘度が１００ｃｐ以下の水溶性オイル６０重量％以上と、ゼオライトの粉末１０〜３０重量％と、界面活性剤と、起泡剤と、液化ガスよりなる噴射剤５〜１０重量％とを含有してなるものであるため、ゼオライトの粉末がエアゾール容器内で安定な分散状態に維持されると兵に、適用されたときには、ゼオライトの粉末が大気中の水分または共に吐出される水によって発熱するため、適度な発熱作用または温覚作用を確実に得ることができると共に、起泡剤が配合されていることによって発泡するため、温かい泡沫を形成するエアゾール組成物を得ることができる。更に、本発明では原液の成分とされる物質または化合物が制限されず、従って広く種々の用途のエアゾール製品を提供することができる。